(57)【要約】【課題】カメラ付き携帯電話機やデジタルカメラより撮影した写真画像などの画像情報と携帯電話機やタッチパネルなどの入力装置から入力された文字列等の情報を加工した印刷物に、クーポン券や広告を加える装置およびシステムに関するものである。【解決手段】赤外線通信や通信ケーブル接続等による通信手段によりカメラ付き携帯電話機内の画像を読み取り、デジタルカメラからは専用の通信ケーブルで画像情報を読み取り、タッチパネルや携帯電話機の文字列入力情報等を、印刷端末で読み取り、加工した印刷物に印刷端末内に記憶された広告やクーポン券などの情報を加工し印刷を行う装置およびシステムを提供する。【選択図】  図２
2004227539.tif 000002
【特許請求の範囲】
【請求項１】
本発明は、本体に画像を保存できる機能を持つカメラ付き携帯電話機、乃至、デジタルカメラ等を用いて撮影した画像情報や、携帯電話機やタッチパネル等の装置から入力された文字列情報等を印刷端末に転送し加工した印刷物に、更に、広告、クーポン券等の画像情報や文字列等の情報を加工し、印刷するシステム及び装置である。
【請求項２】
請求項１において、前記印刷端末と携帯電話機の画像情報を転送する通信方法は、赤外線通信や、通信ケーブル接続などの通信方法等によって行う事が可能な特徴を持つ。
【請求項３】
請求項１において、クーポン券や広告等の画像情報や文字列情報はネットワーク上に設置された端末や、メディア等の記憶端末によって、印刷端末に設けられた記憶媒体に保管された広告内容を更新可能な特徴を持つ。
【請求項４】
請求項１において、広告やクーポン券等を印刷する事により、広告掲載料金を徴収することが出来る特徴を持つ。
【請求項５】
請求項１において、前記印刷端末を商業施設内に設置し、課金ユニットをつける事で料金を徴収する事が出来る特徴を持つ。
【発明の詳細な説明】
【０００１】
【発明の属する技術分野】
本発明は、任意の目的で利用者が要求する印刷物に携帯電話機に保存された写真等の画像情報を赤外線通信や通信ケーブル接続等による通信手段を用いて印刷端末へ転送し、印刷端末のタッチパネル等の操作パネルを用いて画像加工や文字情報入力を行い、加工された印刷物に、広告やクーポン券などの画像情報や文字列等の情報を追加し、印刷するシステム及び方法に関する。
【０００２】
【従来の技術】
近年、街路上で通行人に店舗広告や、店舗広告にクーポン券等を付け加え、来店した消費者には、プレゼント（贈呈品）を提供したり、既存する商品を割り引いたりする事は、よく行なわれているといえる。
【０００３】
また、携帯電話機の性能や機能は増加の一途にあり、音声の通信機能に留まらず、デジタルカメラ機能や、赤外線通信機能など、多目的な用途の機能を搭載した機種が多く流通しており、携帯電話機の使用者に多大な便宜を供与しているといえる。
【０００４】
携帯電話機に搭載されたデジタルカメラ機能の性能も著しく向上しており、解像度（画像の情報量）や携帯電話機内の保存容量の向上に伴い、利用者にとって、携帯電話機内に保存された画像情報は、閲覧用途以外に、印刷用途が要求されているといえる。
【０００５】
携帯電話機に搭載された電子メール機能、名前や住所の登録、文字列等のメモ機能、スケジュール管理などの機能の向上に伴い、携帯電話機により、文字列等の情報を入力する操作は、利用者にとって頻繁に行なわれているといえる。
【０００６】
デジタルカメラの性能や機能も、近年著しく向上しており、解像度（画像の情報量）やデジタルカメラ内の保存容量の向上、処理速度の向上に伴い、撮影した画像にアレンジを加える事が可能になり、デジタルカメラの画像は、元来の写真としての利用価値に比べ、加工する要素が大きい。
【０００７】
これらのデジタルカメラや携帯電話機の加工要素を考慮した印刷機も普及し始めている。
【０００８】
【発明が解決しようとする課題】
しかし、元来、携帯電話機やタッチパネルからの文字列等の情報や、カメラ付き携帯電話機やデジタルカメラの画像情報を加工し印刷する装置には利用者の印刷の用途しか機能せず、広告やクーポン券等の情報を前者の印刷物に組み合わせた印刷機能は搭載されていない。
【０００９】
元来、本発明が用途とする印刷使用目的の装置には、広告やクーポン券などの宣伝としての媒体としては考えられていなかった。
【００１０】
元来、街路上での配布のような形式では、配布範囲は限定されており、また、配布された時点で、既に消費者の必要としない媒体に印刷されている為、広告としての関心や効果は少ないといえる。
【００１１】
また、実際に本発明における印刷端末に広告やクーポン券等の発行をするとすれば、各商用施設内に設置され、前記印刷端末の設置数に比例して広告やクーポン券の更新作業等のメンテナンス面が著しく困難になるといえる。
【００１２】
本発明は上記課題に鑑みてなされたものであり、請求項１の携帯電話機内に保管された写真やデジタルカメラに保存された写真等の画像情報、タッチパネル上や携帯電話機から入力された文字列等の情報を任意の商業施設内に設置された前記印刷端末に転送し、更に、予め印刷端末内に保管された任意の広告やクーポン券を追加する事で印刷を可能とする。
【００１３】
また、商用施設内に設置された印刷端末の設置数に比例して更新作業が困難になる課題は、各商用施設内に設置された印刷端末に付属するメディア等の記憶媒体や、ネットワーク上の端末から更新する事で、広告やクーポン券の更新を可能とする。
【課題を解決するための手段】
【００１４】
赤外線通信や通信ケーブル接続等による通信手段によりカメラ付き携帯電話機内の画像を読み取り、デジタルカメラからは専用の通信ケーブルで画像情報を読み取り、タッチパネルや携帯電話機の文字列入力情報等を、印刷端末で読み取り、加工した印刷物に印刷端末内に記憶された広告やクーポン券などの情報を加工し印刷を可能とする。
【００１５】
広告やクーポン券などの情報の更新は、メディアなどの記憶媒体やネットワーク上に設置された端末より、印刷端末内の既存の情報を更新する事によって管理を可能とする。
【発明の実施の形態】
図１は本システムのチャートを示す。
【００１６】
図２は本システムの構成を示す。
【００１７】
カメラ付き携帯電話機で撮影された写真画像やデジタルカメラで撮影された写真画像等を、本発明のシステムにおいて印刷したい画像情報を、予め保管しておく。（１）
【００１８】
本発明の印刷端末に付属するタッチパネル等の入力装置から操作する事で、携帯電話機やデジタルカメラからの通信を受け付ける。（３）
【００１９】
印刷用途として、携帯電話機の情報を転送するには、赤外線通信や通信ケーブル接続方法を用い、前記印刷端末の通信手段を確立する。（４）
【００２０】
前記携帯電話機内に保管されている写真画像等の情報を前記印刷端末に転送する。（５），（１５）
【００２１】
印刷用途として、デジタルカメラの情報を転送するには、デジタルカメラ専用の通信端子から通信ケーブル接続方法を用い、前記印刷端末に接続し通信手段を確立する。（２）
【００２２】
前記デジタルカメラ内に保管されている写真等の画像情報の情報を前記印刷端末に転送する。（７）
【００２３】
転送された前記携帯電話機やデジタルカメラの画像情報を本発明における印刷端末で受信し、印刷端末内に一時的保管される。（８），（１４）
【００２４】
また、印刷の用途に文字列等の情報が必要な場合は、前記印刷装置に付属する操作パネル入力したり、携帯電話機から文字列等の情報を送信し、印刷端末に記憶される。（９），（１４）
【００２５】
印刷端末は内蔵する記憶媒体から任意の広告情報やクーポン券等の画像情報や文字列等の情報を読み込む。（１０），（１７）
【００２６】
広告やクーポン券等の画像情報や文字列等の情報を読み込む際に、必要な時に随時、ネットワーク端末や、メディア等の記憶媒体から転送し、印刷端末内の記憶媒体に保管された情報を更新できる。（１１）
【００２７】
消費者の方で印刷する要求の画像情報や文字列等の情報（１６）と、広告やクーポン券等の情報を加工し印刷する。（１２），（１３），（１８）
【００２８】
【発明の効果】
【００２９】
携帯電話機のカメラで撮影した画像やデジタルカメラの画像情報等に、文字列等の情報も加え、付近の商業施設内に設置された印刷端末から印刷が出来るようになる。
【００３０】
印刷端末内に内臓された記憶媒体に広告情報やクーポン券等の情報を更に前記印刷物に付け加える事ができ、チラシ等にクーポン券を発行した印刷物とは異なり、消費者が要求している媒体を印刷しているので、宣伝の効果が向上する。
【００３１】
ネットワーク上に設置した端末や、メディア等の記憶媒体から広告情報やクーポン券の情報を更新する事が出来、膨大な数の印刷端末の広告情報やクーポン券情報を更新する事ができ、管理できる。
【図面の簡単な説明】
【図１】本システムのチャートを示す。
【図２】本システムの構成を示す。
【図１】
2004227539.tif 000003
【図２】
2004227539.tif 000004